(57)【要約】【課題】本発明は、構造上結合される端子キャップを介して追加的な照明シェードと接続するよう拡張可能である照明シェードを与えることを目的とする。【解決手段】オス端子キャップ及びメス端子キャップは、ストリップ照明シェードの２つの端部上に取り付けられ、拡張可能なストリップ照明シェード（ｅｘｔｅｎｓｉｂｌｅ  ｓｔｒｉｐ  ｌｉｇｈｔ  ｓｈａｄｅ）を形成するようにされる。電気接点は、２つの照明シェードが端子キャップの機械的結合を介して接続される際に、電気結合に対して端子キャップにおいて形成される。【選択図】図２
2008204949.tif 000002
【特許請求の範囲】
【請求項１】
拡張可能な照明シェードであって、
第１の端部及び第２の端部を有する照明シェードと、
前記第１の端部上に取り付けられ、且つ第１の金属接点を有する、オス端子キャップと、
前記第２の端部上に取り付けられ、且つ第２の金属接点を有して前記オス端子キャップと機械的及び電気的に接続可能である、メス端子キャップと、
を有する、
拡張可能な照明シェード。
【請求項２】
前記オス端子キャップにおいて取り付けられる、第３の金属接点と、
前記メス端子キャップにおいて取り付けられる、第４の金属接点と、
を更に有する、
請求項１記載の拡張可能な照明シェード。
【請求項３】
拡張可能な照明シェード組立体であって、
互いに縦続接続される請求項１記載の拡張可能な照明シェードを１つより多く有する、
拡張可能な照明シェード組立体。
【請求項４】
拡張可能な照明シェード組立体であって、
互いに縦続接続される請求項２記載の拡張可能な照明シェードを１つより多く有する、
拡張可能な照明シェード組立体。
【請求項５】
前記照明シェードにおいて収容される照明管を更に有する、
請求項１記載の拡張可能な照明シェード。
【請求項６】
前記照明管は、少なくとも１つの発光ダイオードを有する、
請求項５記載の拡張可能な照明シェード。
【発明の詳細な説明】
【技術分野】
【０００１】
本開示は、拡張可能な照明シェード（ｅｘｔｅｎｓｉｂｌｅ  ｌｉｇｈｔ  ｓｈａｄｅ）、及び複数の照明シェードがより広い領域を照射するよう端子キャップの機械的結合を介して縦続接続され（ｃａｓｃａｄｅｄ）得る組立体に係る。電気は、縦続接続された照明シェード間において自動的に結合され、照明シェードは適所において縦続接続される（Ｅｌｅｃｔｒｉｃｉｔｙ  ｉｓ  ａｔｕｒｏｍａｔｉｃａｌｌｙ  ｃｏｕｐｌｅｄ  ｂｅｔｗｅｅｎ  ｔｈｅ  ｃａｓｃａｄｅｄ  ｌｉｇｈｔ  ｓｈａｄｅｓ  ｗｈｉｌｅ  ｔｈｅ  ｌｉｇｈｔ  ｓｈａｄｅｓ  ａｒｅ  ｃａｓｃａｄｅｄ  ｉｎ  ｐｏｓｉｔｉｏｎ．）
【背景技術】
【０００２】
図１は、２００７年１月２日に発行された、壁又は天井に取り付けられる照明シェードを開示する米国特許第７，１５６，５３７号（特許文献１）を示す。照明シェード２は、照明一式を形成するよう照明管（ｌｉｇｈｔ  ｔｕｂｅ）（図示せず）を収容するよう使用される。２つの端子キャップ６は、照明シェード２の２つの端部の一方上に各々取り付けられる。端子キャップ６は、照明シェード２を壁又は天井へと取り付けるよう２つの取付け穴９を有する。端子キャップ６は、照明シェード２を組み立てる（ｆｒａｍｉｎｇ）よう、照明シェード２のエッジ部に合致する湾曲フランジ１８を有する。照明シェード２の後方１６は、壁又は天井に取り付けられる照明管を収容するよう開放されている。
【０００３】
従来の端子キャップ６は、単に装飾を目的として簡素に設計され、電気部品を有さない。１つより多い独立した照明一式は、より広い照射が必要とされる場所に使用される。独立した電気配線（ｅｌｅｃｔｒｉｃａｌ  ｌｉｎｅ）は、照明一式の各々に対しておかれる必要がある。
【特許文献１】米国特許第７，１５６，５３７号
【発明の開示】
【発明が解決しようとする課題】
【０００４】
本発明の第１の態様は、構造上結合される端子キャップを介して追加的な照明シェードと接続するよう拡張可能である照明シェードを与えることである。
【０００５】
本発明の第２の態様は、縦続接続される照明シェード間における電気的結合に対して設計される電気接点を有する端子キャップを与えることである。
【０００６】
本発明の第３の態様は、複数の照明が縦続接続される際に、照明の各々に対して追加的な電気配線を使用することがない拡張可能な照明シェードを与えることである。
【０００７】
本発明の第４の態様は、照明シェードの２つの端部上に別個に取付け可能であるオス端子キャップ及びメス端子キャップを与え、より多くの照明シェードが端子キャップの接続を介して縦続接続され得る、ことである。
【発明を実施するための最良の形態】
【０００８】
図２Ｃ〜２Ａは、本発明の一実施例を示す。
【０００９】
図２Ｃは右側面図である。オス端子キャップ２１は、照明シェード２０の右側部上に取り付けられ、オス端子キャップ２１は、第１の金属接点２１１、第２の金属接点２１２、及びオスファスナ２３１を有する。
【００１０】
図２Ｂは上面図である。照明シェード２０は、右側端子キャップ２１及び左側端子キャップ２２を有する。照明管２４は、照明シェード２０の中空の空間において取り付けられる。
【００１１】
図２Ａは左側面図である。メス端子キャップ２２は、照明シェード２０の左側部上に取り付けられる。メス端子キャップ２２は、第３の金属接点２１３、第４の金属接点２１４、及びメスファスナ２３２を有する。案内プレート２３３は、挿入されたオスファスナを案内するようにされる。
【００１２】
図３は、図２Ａ−２Ｃの実施例の立面斜視図である。第１の照明シェード２０１及び第２の照明シェード２０２は、縦続接続される。照明シェード２０１は、内部に収容される照明管２４１を有し、照明シェード２０２は、内部に収容される照明管２４２を有する。照明管２４１及び２４２の外形は、従来の蛍光灯管の外形と同様である。照明管２４１及び２４２の各端部は、端子キャップにおける金属接点に対して電気的に結合する２つの金属ステム部を有する。
【００１３】
図３を参照すると、照明管２４２は、左側メス端子キャップ２２の２つの金属接点２１３及び２１４に対して夫々電気的に結合される左側部上の２つの金属ステム部（図示せず）を有する。同様に、照明管２４１は、右側オス端子キャップ２１の２つの金属接点２１１及び２１２に対して電気的に結合される右側部上の２つの金属ステム部（図示せず）を有する。右側オス端子キャップ２１は、左側メス端子キャップ２２と結合する。端子キャップ２１のオスファスナ２３１は、２つの照明シェード２０１及び２０２を接続するよう端子キャップ２２のメスファスナ２３２へと挿入され、互いに対して電気的に接触する。
【００１４】
図４は、２つのユニット２０１、２０２を有する縦続接続される照明一式の正面図である。照明シェード２０１は、挿入及び回転によるメス端子キャップ２２に対するオス端子キャップ２１の機械的結合を介して照明シェード２０２と縦続接続される。オス端子キャップ２１における２つの金属接点は、メス端子キャップ２２における２つの金属接点に対して電気的に結合される。
【００１５】
図５は、本発明の一実施例のオス端子キャップ及びメス端子キャップの立面図である。オス端子キャップ２１は、オスファスナ２３１を有する。一組のＬ字型フランジ２３１は、例えばＵ字型口部（Ｕ−ｓｈａｐｅｄ  ｍｏｕｔｈ）２３４を形成するよう端子キャップ２１の基板上に取り付けられる。メス端子キャップ２２は、例えばオスファスナ２３１に対して機械的に結合するよう、メスファスナ２３２、穴、及びフランジを有する。オスファスナ２３１は、続いて、メスファスナ２３２へと挿入され、適所に固定されるよう回転される。メスファスナのフランジは、縦続接続される照明シェードの固定に対して口部２３４において保持される一方、２つの照明シェードは、図４中に示される通り、適所において縦続接続される。オス端子キャップ２１は、第１の金属接点２１１及び第２の金属接点２１２を有する。メス端子キャップ２２は、第３の金属接点２１３及び第４の金属接点２１４を有する。第１の金属接点２１１は、第３の金属接点２１３に対して電気的に結合され、第２の金属接点２１２は、２つの照明シェード２０１及び２０２が適所において縦続接続される際に第４の金属接点２１４に対して電気的に結合される。
【００１６】
図６Ａ〜６Ｃは、メス端子キャップに対してオス端子キャップを接続する工程を示す。図６Ａは接続前の図であり、図６Ｂは、オス端子キャップ２１のメス端子キャップ２２への挿入の図であり、図６Ｃは、キャップを適所において固定するための挿入及び回転後の図である。
【００１７】
図７Ａ〜７Ｃは、２つの端子キャップにおける金属接点を示す。図７Ａ〜７Ｃは、図６Ａ〜６Ｃに夫々対応する。図７Ａ〜７Ｃは、端子キャップにおける金属接点の作用を示す。
【００１８】
図７Ａは、接続前の金属接点を示す。
【００１９】
図７Ｂは、オスファスナがメスファスナへと挿入される際に互いに接触する金属接点を示す。
【００２０】
図７Ｃは、オスファスナがメスファスナに適所において固定された後の適所における金属接点を示す。第１の金属接点２１１は、第３の金属接点２１３に対して電気的に結合され、第２の金属接点２１２は、一組のファスナが適所において固定される際に第４の金属接点２１４に対して電気的に結合される。
【００２１】
図８は、２つの端部の各々において一組の金属接点を有する照明管に対する端子キャップの各々における２つの金属接点を示す。
【００２２】
照明管２４が２つの端部の各々において２つの金属ステム部２１１Ａ及び２１２Ａを有する場合、２つの金属ステム部２１１Ａ及び２１２Ａは、端子キャップにおける２つの金属接点２１１及び２１２に対して電気的に結合される。照明管２４の他端はまた、端子キャップにおける２つの金属接点２１３及び２１４に対して電気的に結合される２つの金属ステム部を有する。
【００２３】
図９は、２つの端部において単一の金属接点を有する照明管に対する端子キャップの各々における単一の金属接点を示す。照明管３４が２つの端部において単一の金属ステム部３１１Ａを有する場合、単一の金属ステム部３１１Ａは、端子キャップにおいて単一の金属接点２１１に対して電気的に結合される。照明管３４の他端はまた、端子キャップにおける他方の単一の金属接点に対して電気的に結合される単一の金属ステム部を有する。
【００２４】
本発明の実施例におけるファスナユニットは、典型的には挿入及び回転を介して組み合わされる一組の口部及びフランジ部であるよう示される。しかしながら、２つの物体を組み合わせる摺動及びスプリング機構等である異なる機構も使用され得る。かかる異なる設計は、本発明の範囲内である。端子キャップにおける金属接点は、別個に配置されるよう例示されるが、機構を単純化するようファスナ要素と一体にされてもよい。
【００２５】
照明管は、蛍光灯管であり得るか、あるいは発光ダイオードを有し得る。
【００２６】
複数の実施例が記載されてきたが、当業者には、多種の修正が本発明の趣旨を逸脱しない実施例においてなされ得る、ことが明らかである。かかる修正はすべて、添付の請求項によって定義付けられる本発明の範囲内である。
【図面の簡単な説明】
【００２７】
【図１】先行技術の照明シェードを図示する。
【図２】本発明の一実施例を図示し、図２Ａは本発明の一実施例の右側面図、図２Ｂは本発明の一実施例の上面図、並びに図２Ｃは本発明の一実施例の左側面図である。
【図３】本発明の一実施例の立面斜視図である。
【図４】本発明の実施例の２つの照明シェードを有する縦続接続される照明セットの正面図である。
【図５】本発明の一実施例のオス端子キャップ及びメス端子キャップの立面図である。
【図６】図６Ａ乃至６Ｃにおいて、オス端子キャップをメス端子キャップに対して結合する工程を図示する。
【図７】図７Ａ乃至７Ｃにおいて、２つの端子キャップにおける金属接点を図示する。
【図８】２つの端部の各々において一組の金属接点を有する照明管に対する端子キャップの各々における２つの金属接点を図示する。
【図９】２つの端部の各々において単一の金属接点を有する照明管に対する端子キャップの各々における単一の金属接点を図示する。
【符号の説明】
【００２８】
２０  照明シェード
２１  オス端子キャップ
２２  メス端子キャップ
２１１  第１の金属接点
２１２  第２の金属接点
２１３  第３の金属接点
２１４  第４の金属接点
２３１  オスファスナ
２３２  メスファスナ
２３３  ガイドプレート
【図１】
2008204949.tif 000003
【図２】
2008204949.tif 000004
【図３】
2008204949.tif 000005
【図４】
2008204949.tif 000006
【図５】
2008204949.tif 000007
【図６】
2008204949.tif 000008
【図７】
2008204949.tif 000009
【図８】
2008204949.tif 000010
【図９】
2008204949.tif 000011